(57)【要約】      （修正有）【課題】仰向けにて両上下肢を左右上下あらゆる方向に動かし、またその位置を保持することで肩の位置と背骨の歪みを調整し、肩こりの改善や良好な姿勢を獲得できる姿勢調整器具を提供する。【解決手段】姿勢調整器具１０は、両側にポリ塩化ビニル樹脂素材を用いた直径１．５〜２．５ｃｍの空洞の円柱を円柱間１．５〜５．５ｃｍでレール状につなぎ、エチレン−酢酸ビニル共重合樹脂素材で包んだ縦４．０〜８．０ｃｍ、横９．０〜１６．０ｃｍ、長さ８０〜１００ｃｍの形状をしている。両端は楕円形のアクリロ二トリル・ブタジエン・スチレン樹脂素材１１にてつなげている。この姿勢調整器具に頭部から骨盤まで預けることで、左右の脊柱起立筋を介して背骨の両端を押圧し、背骨の生理的弯曲を保持したまま背骨の曲りや捻じれさらには肩の位置を調整できる。【選択図】図２
0003205303.tif 000002
【実用新案登録請求の範囲】
【請求項１】
両側にポリ塩化ビニル樹脂（ＰＶＣ）素材を用いた直径１．５〜２．５ｃｍの空洞の円柱を円柱と同素材を用いて円柱間１．５〜５．５ｃｍでレール状につないだ形状をし、エチレン−酢酸ビニル共重合樹脂（ＥＶＡ）素材で包んだ縦４．０〜８．０ｃｍ、横９．０〜１６．０ｃｍ、長さ８０〜１００ｃｍの姿勢調整器具。
【請求項２】
中心部にある両側の空洞の円柱をつなげる部分は、上半身の荷重負荷時に形状が崩れないように両側の空洞の円柱をつなげる部分の両側面に柱を形成する上記請求項１記載の姿勢調整器具。
【請求項３】
両端は楕円形に形成されたアクリロ二トリル・ブタジエン・スチレン樹脂（ＡＢＳ）素材を用い、上半身の荷重負荷時にポールの形状が崩れないように補強する上記請求項１〜２記載の姿勢調整器具。
【請求項４】
背骨、胸郭の変形や骨粗鬆症などの骨の状態および体格に応じ、全てまたは中心部の内材をエチレン−酢酸ビニル共重合樹脂（ＥＶＡ）素材や発泡オレフィン系樹脂などの軟性樹脂や発泡体で一体型に形成することを特徴とする上記請求項１〜３記載の姿勢調整器具。
【考案の詳細な説明】
【技術分野】
【０００１】  本考案は、肩（肩甲骨から肩関節）の位置および背骨の曲りや捻じれなどの歪みを調整できる姿勢調整器具に関するものである。
【背景技術】
【０００２】  身体の歪みを改善し正しい姿勢を作り出す目的で、円柱状や半円状のストレッチ用のポールが市販されている。このストレッチ用のポールは直径１５ｃｍ、長さ９０ｃｍの発泡オレフィン系樹脂を使用した円柱状に形成されたもの、さらにはその直径および長さを半分に形成されたものである。ストレッチ方法は、ストレッチ用ポールに頭部と背骨を沿わせるように仰向けになり、呼吸を止めることなく両上肢および下肢をあらゆる方向に動かしバランスを取ることで、体幹や頸部の前面にある筋肉をストレッチすると共に体幹の筋肉を刺激しトレーニング効果を高め、姿勢を整えるものである。【０００３】  特許文献１では、２本の平行棒をレール状に配置し、その溝部に横臥姿勢となり固定化させることで必要な被矯正部位へのほぐしに効果をあげることが提案され、特許文献２では、中心が空洞になっている低密度発泡ポリエチレンの合成樹脂素材の円柱２本を筏状につなげ、その上に仰向けになった人の体重でポールが圧縮され、ポール本体の弾力性によりバランスが不安定になり体幹および身体バランスの向上効果をさらに高めることができると提案されている。特許文献３では、円柱状に形成された木製の丸棒に３０倍発泡のポリオレフィンフォーム素材で包んだ円柱を両端の木製の板にてレール状につなげ、その上に仰向けになり背骨の両側面を押圧し、背骨の位置を調整することで姿勢の改善ができると提案している。
【先行技術文献】
【特許文献】
【０００４】
【特許文献１】特願２００６−５１２９８号公報
【特許文献２】実用新案登録第３１０８６３５号公報
【特許文献３】実用新案登録第３１９１８６９号公報
【考案の概要】
【考案が解決しようとする課題】
【０００５】  背骨を横からみると頸椎は前弯、胸椎は後弯、腰椎は前弯と生理的弯曲があり、重い頭部を最小限の力で支えることができる。人間が動物とは違い直立二足歩行ができるのは、この生理的弯曲があるためであるとされる。背骨は頸椎で７個、胸椎で１２個、腰椎で５個の椎骨と仙骨１個によって形成されており可動性の高い構造をしている。胴体と呼ばれる体幹を形成する椎骨は胸椎、腰椎であり、この胸椎と腰椎の椎骨には後方中央に棘突起、左右に胸椎では横突起、腰椎では乳様突起および横突起があり、その部分は背骨を反る、捻じる、曲げるという運動を司る筋肉が付着している。【０００６】  ストレッチ用ポールは、１本の円柱状または半円状に形成されており、背骨をストレッチ用ポールに沿って仰向けに寝てストレッチすると共にトレーニング効果を高めるものである。しかし、胸椎や腰椎の当たる部分は椎骨の後方中央にある棘突起のみが接触するため、背骨の水平面上の捻じれを調整することができない問題がある。【０００７】  実用新案登録第３１０８６３５号の体幹の筋力強化、身体バランス向上のためのトレーニング器具では低密度発泡ポリエチレンの合成樹脂素材で直径１０ｃｍ以下の円柱２本を筏状に繋げ形成されているが、円柱の中心が空洞であり、背骨を２本のポールの中央に沿って仰向けに寝ても、上半身の荷重がポールにかかり形状を保つことができず、椎骨の左右横突起にポールを的確に当て、背骨の捻じれを調整することができない問題がある。【０００８】  実用新案登録第３１９１８６９号の姿勢調整器具では、円柱状に形成された木製の丸棒に３０倍発泡のポリオレフィンフォーム素材で包んだ円柱を両端の木製の板にてレール状につなげ形成されているが、繋げている部分が両端であり、背骨を２本のポールに沿って仰向けに寝ると、体重の重さによって連結していない中央部分がゆがみ、椎骨の左右横突起にポールを的確に当て、背骨の捻じれを調整することができない問題がある。また、円柱状に形成された木製の丸棒に３０倍発泡のポリオレフィンフォーム素材を包んだ形状のため体重をかけた際に痛みを生じやすいという問題がある。【０００９】  そこで、本考案の目的は、上記課題を解決し、両側のポリ塩化ビニル樹脂（ＰＶＣ）素材を用いた空洞の円柱を円柱間全てをレール状につないだ形状をし、エチレン−酢酸ビニル共重合樹脂（ＥＶＡ）素材で包んだ器具を用いて姿勢調整をする際に、頭頸部および体幹の前面をストレッチしながら脊柱起立筋を介して胸椎の左右横突起と腰椎の左右乳様突起および横突起に沿うように当て、生理的弯曲の保持と背骨の捻じれを調整できる姿勢調整器具を提供することにある。
【課題を解決するための手段】
【０００９】  本考案は、両側にポリ塩化ビニル樹脂（ＰＶＣ）素材を用いた直径１．５〜２．５ｃｍの空洞の円柱を円柱と同素材を用いて円柱間が１．５〜５．５ｃｍでレール状につないだ形状をし、エチレン−酢酸ビニル共重合樹脂（ＥＶＡ）素材で包んだ縦４．０〜８．０ｃｍ、横９．０〜１６．０ｃｍ、長さ８０〜１００ｃｍで、頭部後面および胸椎の左右横突起と腰椎の乳様突起および肋骨突起に沿うように当てるために両側の円柱をレール状に繋げた姿勢調整器具である。【００１０】  姿勢調整器具は長さ８０〜１００ｃｍに形成されることが好ましい。【００１１】  両側のポリ塩化ビニル樹脂（ＰＶＣ）素材を用いた直径１．５〜２．５ｃｍの空洞の円柱をつないでいる幅は個々人の体格に応じて１．５〜５．５ｃｍに形成されることが好ましい。【００１２】  両側の空洞の円柱をつなげるには、両側の直径１．５〜２．５ｃｍの空洞の円柱と同様に空洞の形状かつポリ塩化ビニル樹脂（ＰＶＣ）素材を用い、上半身の荷重負荷時にポールの形状が崩れないよう、つなぐ部分の両側面に柱を形成することが好ましい。また、両端には楕円形に形成されたアクリロ二トリル・ブタジエン・スチレン樹脂（ＡＢＳ）素材を用い、上半身の荷重負荷時にポールの形状が崩れないように補強させることが好ましい。
【考案の効果】
【００１３】  本考案は、両側にポリ塩化ビニル樹脂（ＰＶＣ）素材を用いた直径１．５〜２．５ｃｍの空洞の円柱を円柱間が１．５〜５．５ｃｍでレール状につないだ形状をし、エチレン−酢酸ビニル共重合樹脂（ＥＶＡ）素材で包んだ縦４．０〜８．０ｃｍ、横９．０〜１６．０ｃｍ、長さ８０〜１００ｃｍの姿勢調整器具であり、その継ぎ目部分に頭部から背骨の中央を合わせ、頭部から骨盤までポールにあたるように仰向けに寝て、両上肢および両下肢を左右上下あらゆる方向に運動することで背骨の生理的弯曲を保ちながら脊柱起立筋を介して胸椎の左右横突起と腰椎の左右乳様突起および横突起に沿うようにポールを当てることができる。そのことで肩（肩甲骨から肩関節）の位置や背骨の曲りやの捻じれなどの歪みを調整し、肩こりおよび腰痛の改善や良好な姿勢を獲得できるという優れた効果を発揮する。
【図面の簡単な説明】
【００１４】
【図１】本考案の姿勢調整器具の詳細を示し、（ａ）は斜視図（ｂ）は端面図である。
【図２】本考案の姿勢調整器具の詳細を示す斜視図である。
【図３】本考案の姿勢調整器具を使用している様子を示す図である。
【考案を実施するための形態】
【００１５】  以下、本考案の一実施の形態を図面に基づいて記述する。
【００１６】  図１（ａ）と図１（ｂ）は、本考案の姿勢調整器具の詳細を示したものである。姿勢調整用器具１０は、両側にポリ塩化ビニル樹脂（ＰＶＣ）素材を用いた直径１．５〜２．５ｃｍの空洞の円柱１０ａを円柱と同様にポリ塩化ビニル樹脂（ＰＶＣ）素材を用いて円柱間が１．５〜５．５ｃｍでレール状につなぎ、エチレン−酢酸ビニル共重合樹脂（ＥＶＡ）素材１０ｂで包んだ縦幅４．０〜８．０ｃｍ、横幅９．０〜１６．０ｃｍで長さ８０〜１００ｃｍの円柱状に形成された円柱体からなる。
【００１７】  図２は、本考案の姿勢調整器具の詳細を示したものである。姿勢調整器具は楕円形のアクリロ二トリル・ブタジエン・スチレン樹脂（ＡＢＳ）素材１１を用いてレール状の形状を補強している。
【００１８】  姿勢調整器具の中心部の円柱をレール状につなぐ幅は、個々人の体格に応じて１．５〜５．５ｃｍの間隔で形成され、レール状につないだ接合部に形成される凹状部に背骨の中央を合わせ仰向けに寝た際、２つの円柱１０の中央部が脊柱起立筋を介して胸椎の左右横突起と腰椎の左右乳様突起および横突起に沿うように押圧できるように形成される。
【００１９】  姿勢調整器具の中心部の内材は、骨粗鬆症などの骨の状態や変形、体格などにより、すべてをエチレン−酢酸ビニル共重合樹脂（ＥＶＡ）素材や発泡オレフィン系樹脂などの軟性樹脂や発泡体さらには両側の丸棒間を木材用いて繋げた一体型として形成してもよい。
【００２０】  姿勢調整器具は塩化ビニル樹脂や綿などのカバーで覆って形成してもよい。
【００２１】  次に本実施形態の姿勢調整器具を用いたトレーニングを説明する。
【００２１】  両膝を曲げて両足をフロアにつけた状態で、姿勢調整器具１０の末端に殿部を乗せ、２つの円柱をつないだ接合部の間にある凹状部に背骨の中央を合わせ仰向けに寝て、両腕を上方に向かって伸ばした状態にする。頭部から骨盤までの上半身を姿勢調整器具に預けることで、左右の脊柱起立筋を介して胸椎の左右横突起と腰椎の左右乳様突起および横突起に沿うように押圧し、背骨の生理的弯曲を保持したまま背骨の曲りや捻じれを調整でき、また上方に伸ばした両上肢を上下に動かすことで肩甲骨の運動性を向上させ、肩（肩甲骨と肩関節）の歪みを調整でき、肩こりの改善や良好な姿勢を獲得することができる。
【符号の説明】  １０    姿勢調整器具
１０ａ  ポールの内材に使用されるポリ塩化ビニル樹脂（ＰＶＣ）素材
１０ｂ  ポールの外材に使用されるエチレン−酢酸ビニル共重合樹脂（ＥＶＡ）素材
１１    ポールを両端から補強するアクリロ二トリル・ブタジエン・スチレン樹脂（Ａ          ＢＳ）素材
【図１】
0003205303.tif 000003
【図２】
0003205303.tif 000004
【図３】
0003205303.tif 000005